(57)【要約】【課題】資源の無駄遣いや廃棄物の削減を図るべくシーツの傷んだ箇所をずらして長期間使用することができるとともに、好みのデザインや素材面に変えて寝心地に変化を与えることができる、ループ状シーツを得る。【解決手段】通常のシーツ生地の略２倍の長さを有したシーツ生地の長手方向の両端部を結合してループ状とする。また、デザインに変化を付ける場合、前記シーツ生地に部分的又は連続的に異なるデザインを配し、また、素材に変化を付ける場合、前記シーツ生地に部分的又は連続的に異なる素材を配する。【選択図】図１
0003168465.tif 000002
【実用新案登録請求の範囲】
【請求項１】
通常のシーツ生地の略２倍の長さを有したシーツ生地の長手方向の両端部を結合してループ状としたことを特徴とする、ループ状シーツ。
【請求項２】
上記シーツ生地に部分的又は連続的に異なるデザインを配し、また、上記シーツ生地に部分的又は連続的に異なる素材を配したことを特徴とする、請求項１に記載のループ状シーツ。
【考案の詳細な説明】
【技術分野】
【０００１】  本考案は、敷布団の上面に掛ける敷布（以後シーツという）に関し、特にループ状に構成したシーツの中に布団を入れて使用することにより、シーツの傷んだ箇所をずらして長期間使用することができたり、好みのデザインや素材面に変えて寝心地に変化を与えることができる、ループ状シーツに関するものである。
【背景技術】
【０００２】  従来、主に畳の上で就寝する場合、敷布団の上面に一枚布帛のシーツを掛け、さらに毛布や掛布団を掛けて就寝している。また、ベッド用敷布団では敷布団に袋状の敷布団カバーを被せ、同様に毛布や掛布団を掛けて就寝している。【０００３】  上記一枚布帛のシーツや敷布団カバーを使用し続けると、個人によって違いはあるものの、臀部や脚が当る部分などが他の部分より先に傷んで薄くなってくる。このような状態になったとき、前記シーツや敷布団カバーを上下逆にして使用することはできるものの、今まで脚が当っていた部分が頭の方に来てしまい、心理的に不快感が伴うため、一般的にはそのまま廃棄して新しいシーツや敷布団カバーと交換していた。
【考案の開示】
【考案が解決しようとする課題】
【０００４】  近年おいては環境問題がクローズアップされ、資源の無駄遣いや廃棄物の削減などが叫ばれており、本願出願人らとしても上記シーツや敷布団カバーを長持ちさせて資源の無駄遣いや廃棄物の削減に貢献するとともに、更に付加価値を持たせた新しいシーツの必要性を感じていた。【０００５】  参考とすべく特許公報を調査しても上記二つの要素を満たすシーツは無く、独自に開発を進めた結果、本願考案に至ったものである。【０００６】  本考案は上記要求を満たすために成されたものであり、資源の無駄遣いや廃棄物の削減を図るべくシーツの傷んだ箇所をずらして長期間使用することができるとともに、好みのデザインや素材面に変えて寝心地に変化を与えることができる、ループ状シーツを提供することを目的とする。
【課題を解決するための手段】
【０００７】  上記課題を解決するため、本考案のループ状シーツは、通常のシーツ生地の略２倍の長さを有したシーツ生地の長手方向の両端部を結合してループ状とする。また、デザインに変化を付ける場合、前記シーツ生地に部分的又は連続的に異なるデザインを配し、また、素材に変化を付ける場合、前記シーツ生地に部分的又は連続的に異なる素材を配する。
【考案の効果】
【０００８】  本考案のループ状シーツによれば、臀部や脚が当る部分などが他の部分より先に傷んで薄くなった場合、シーツの傷んだ箇所をずらして使用することにより長期間使用することができるという効果を奏する。また、シーツ生地に部分的又は連続的に異なるデザインを配することにより、該シーツをずらしてシーツ表面のデザインを変えることができ、寝心地に変化を与えることができるという効果を奏する。また、シーツ生地に部分的又は連続的に異なる素材を配することにより、該シーツをずらしてシーツ表面の素材を変えることができ、寝心地に変化を与えることができるという効果も奏する。
【考案を実施するための最良の形態】
【０００９】  本考案を実施するための最良の形態を図を用いて説明する。【００１０】  図１は本考案のループ状シーツの構造図である。該図に示すように、本考案のループ状シーツ１は、通常のシーツ生地の略２倍の長さを有したシーツ生地の長手方向の両端部を結合してループ状とし、シーツ上部２とシーツ下部３との間に敷布団挿入部４を構成する。【００１１】  図２は本考案のループ状シーツの使用状態を示す側面図であり、（ａ）はループ状シーツ１のシーツ上部２とシーツ下部３との間の敷布団挿入部４に敷布団６を挿入した状態を示している。敷布団６の長さや厚さは個々に異なるため、ループ状シーツ１に余裕を持って敷布団６を挿入すべくループ状シーツ１の長さを長めにすることにより、シーツ端部５が形成される。（ｂ）は前記シーツ端部５を下部側に折り返すことで、ループ状シーツ１を敷布団６にしっかりと被せた状態を示している。なお、敷布団６の側面部においても前記ループ状シーツ１の幅を広めにすることにより同様の端部ができ、これも下部側に折り返すことで同様にしっかりと被せることができる。また、敷布団６の側面部においては、前記以外に、幅はさほど広くせずに紐・ホック・面ファスナーなどで閉じるようにしても構わない。【００１２】  図３はシーツの傷んだ箇所をずらして使用する方法において、ずらす前の状態を示した図である。該図の（ａ），（ｂ）において、シーツ上部２の略中央に生地が薄くなった瑕疵部７がある。この部分を移動先部８に移す場合、（ａ）で示すようにループ状シーツ１を図中矢印方向にずらして移動先部８に瑕疵部７を移動させる。【００１３】  図４はシーツの傷んだ箇所をずらして使用する方法において、ずらした後の状態を示した図であり、上記作業の結果、該図の（ａ），（ｂ）において、シーツ上部２の略中央にあった瑕疵部７は左側に移動し、移動後部９は生地が薄くなっていない部分と置き換わる。このような方法を繰り返すことにより、シーツを長期間使用することが可能となる。【００１４】  上記ループ状シーツ１のシーツ生地は一般的に使用されるものであるが、付加価値を持たせるべく、デザインに変化を付ける場合には、前記シーツ生地に部分的又は連続的に異なるデザインを配する。例えば、四季の風景、動植物、幾何学模様、グラデーション模様などである。また、素材に変化を付ける場合には、前記シーツ生地に部分的又は連続的に異なる素材を配する。例えば、中央部を厚手にしたり、夏用として薄手の生地で冬用として厚手の生地を用いるなどである。【００１５】  図５はシーツのデザイン又は素材の異なる箇所をずらして使用する方法において、ずらす前の状態を示した図である。該図の（ａ），（ｂ）において、シーツ上部２の右側の広い部分はデザインＡ又は素材Ａ１０であり、左側の狭い部分はデザインＢ又は素材Ｂ１１である。ここで、該デザインＢ又は素材Ｂ１１の部分を広くしたい場合、（ａ）で示すようにループ状シーツ１を図中矢印方向にずらしてデザインＢ又は素材Ｂ１１の部分をデザインＡ又は素材Ａ１０の部分に移動させる。【００１６】  図６はシーツのデザイン又は素材の異なる箇所をずらして使用する方法において、ずらした後の状態を示した図であり、上記作業の結��、該図の（ａ），（ｂ）において、シーツ上部２の左側にあったデザインＢ又は素材Ｂ１１は右側に移動し、デザインＢ又は素材Ｂ１１の部分が広くなりデザインＡ又は素材Ａ１０の部分が狭くなる。このような方法により、好みのデザインや素材面に変えて寝心地に変化を与えることができることが可能になる。【００１７】  なお、上述での説明は敷布団挿入部４に敷布団６を挿入した状態での説明であったが、挿入せずに敷布団６にループ状シーツ１を直に被せて使用しても構わなく、同様の効果は得られるものである。
【図面の簡単な説明】
【００１８】
【図１】本考案のループ状シーツの構造図である。
【図２】本考案のループ状シーツの使用状態を示す側面図である。
【図３】シーツの傷んだ箇所をずらして使用する方法において、ずらす前の状態を示した図である。
【図４】シーツの傷んだ箇所をずらして使用する方法において、ずらした後の状態を示した図である。
【図５】シーツのデザイン又は素材の異なる箇所をずらして使用する方法において、ずらす前の状態を示した図である。
【図６】シーツのデザイン又は素材の異なる箇所をずらして使用する方法において、ずらした後の状態を示した図である。
【符号の説明】
【００１９】  １  ループ状シーツ
２  シーツ上部
３  シーツ下部
４  敷布団挿入部
５  シーツ端部
６  敷布団
７  瑕疵部
８  移動先部
９  移動後部
１０  デザインＡ又は素材Ａ
１１  デザインＢ又は素材Ｂ
【図１】
0003168465.tif 000003
【図２】
0003168465.tif 000004
【図３】
0003168465.tif 000005
【図４】
0003168465.tif 000006
【図５】
0003168465.tif 000007
【図６】
0003168465.tif 000008
【手続補正書】
【提出日】平成23年3月16日(2011.3.16)
【手続補正１】
【補正対象書類名】実用新案登録請求の範囲
【補正対象項目名】請求項１
【補正方法】変更
【補正の内容】
【請求項１】
シーツ生地の長手方向の両端部を結合してループ状としたことを特徴とする、ループ状シーツ。
【手続補正２】
【補正対象書類名】明細書
【補正対象項目名】０００７
【補正方法】変更
【補正の内容】
【０００７】  上記課題を解決するため、本考案のループ状シーツは、シーツ生地の長手方向の両端部を結合してループ状とし、該ループ状のシーツ内に敷布団を挿入する構造とする。また、デザインに変化を付ける場合、前記シーツ生地に部分的又は連続的に異なるデザインを配し、また、素材に変化を付ける場合、前記シーツ生地に部分的又は連続的に異なる素材を配する。